(57)【特許請求の範囲】
【請求項１】
車両の車室内における床面に二重に敷かれる第１マット及び第２マットにおいて、上側に配置される前記第２マットを前記床面に対して固定するために、前記第１マット及び前記第２マットの後縁近傍に配置される合成樹脂製のマット用フックであって、
前記第１マットと前記床面との間に介在されるとともに、固定手段を用いて前記床面に固定される固定片部と、
該固定片部の後端側から反転しつつ前記固定片部と略平行に前方に延びて、前記固定片部との間の隙間に、前記第１マットの後縁を挿入させるようにして、前記第１マットの上面側に配置される押え片部と、
該押え片部側に配置されて、前記第２マットを係止するフック本体と、
を備える構成とされ、
該フック本体が、
前記押え片部から上方に突出して、前記第２マットに形成される係止孔に挿通可能な係止軸部と、
該係止軸部の上端から後方に向かって延びて、前記係止孔周縁に係止される係止片と、
を備える構成とされ、
前記固定片部と前記押え片部との境界部位付近に、前記押え片部の前端側を前記固定片部から上方へ離隔可能とするインテグラルヒンジからなるヒンジ部が、配置され、
前記フック本体が、前記押え片部と別体として構成されるとともに、前記押え片部に対して、前後方向側でスライド可能で、かつ、スライド移動後に、少なくとも前方側への移動を規制して前記押え片部に係止可能に、構成されていることを特徴とするマット用フック。
【請求項２】
前記押え片部の後端と前記固定片部の後端とが、断面形状を略Ｕ字形状とした連結部により、連結され、
前記ヒンジ部が、少なくとも、前記押え片部の後端側から前記連結部の後端にかけての領域を、前後の略全域にわたって薄肉として構成されるとともに、前記押え片部及び前記固定片部との境界にかけて、肉厚をそれぞれ徐変されるように、構成されていることを特徴とする請求項１に記載のマット用フック。
【請求項３】
前記固定片部が、前記固定手段としてねじを使用可能に、該ねじを挿通可能な挿通孔を備えるとともに、前記固定手段として、裏面側にフック側の面状ファスナーを結合させていることを特徴とする請求項１又は２に記載のマット用フック。
【発明の詳細な説明】
【技術分野】
【０００１】
本発明は、車室内におけるシートの前方側の床面に、二重でマットを敷く際に使用するマット用フックに関する。
【背景技術】
【０００２】
通常、車両の車室内におけるシートの前方側の床面には、マットが一重で敷かれているが（いわゆる純正マット）、ユーザーが好みに応じて、この純正マットの上に、市販のマットを敷いて使用する場合がある。しかし、純正マットの上に市販のマットを敷いて使用する場合、単に、純正マット上に市販のマットを載せるだけでは、市販のマットが純正マットから大きく位置ずれする虞れがあった。そのため、特に、運転席の前方側の床面に敷く際において、市販のマット（第２マット）の純正マット（第１マット）からの位置ずれを防止するために、市販のマット（第２マット）を固定するための固定具が、あった（例えば、特許文献１，２参照）。
【０００３】
具体的には、特許文献１には、床面と第１マットとの間に介在されて床面に固定される固定板部と、第１マットの上に載置される第２マットの後縁を挟むクリップ部と、を備えて、クリップ部と固定板部とを、第１マットの後縁近傍に配置される支柱を介して連結させた構成の固定クリップが、開示されている。この固定クリップでは、クリップ部は固定板部に対して着脱可能に構成されるとともに、２枚の平板状の押え板と、第２マットを挟んだ状態の２枚の押え板を、第２マットごと挟持可能な断面略Ｕ字形状の挟持部材と、から構成されている。
【０００４】
また、特許文献２には、特許文献１と同様に、床面と第１マットとの間に介在されて床面に固定される固定板部と、第１マットの上に載置される第２マットの後縁を挟むクリップ部と、を備えて、クリップ部と固定板部とを、支柱を介して連結させた構成の固定クリップが、開示されている。この固定クリップでは、クリップ部は、ねじ締結によって、離隔距離を縮められた２枚の押え板により第２マットの後縁を挟持させる構成である。また、この特許文献２の固定クリップでは、クリップ部が、支柱の固定板部との連結部位と、支柱とクリップ部との連結部位と、を、それぞれ、回転中心として、固定板部に対して、回動可能に構成されている。すなわち、特許文献２に記載の固定クリップでは、クリップ部を固定板部に対して回動させることにより、固定板部からのクリップ部の離隔距離を、変更することができる。
【先行技術文献】
【特許文献】
【０００５】
【特許文献１】実用新案登録第３１４８６９６号
【特許文献２】実用新案登録第３１６３８４３号
【発明の概要】
【発明が解決しようとする課題】
【０００６】
しかし、上記特許文献１に記載の固定クリップは、固定板部とクリップ部とを別体として構成し、さらにクリップ部を、押え板と挟持部材との２部材から構成していることから、部品点数が多く、構成が複雑であり、また、第２マットを取り外す際にも、クリップ部を固定板部側から取り外し、さらに、挟持部材の取り外し作業が必要となって、第２マットの取り付け時には逆の手順の作業が必要となり、作業が煩雑となっていた。また、上記特許文献２に記載の固定クリップは、クリップ部を固定板部に対して回動させることにより、クリップ部の固定板部からの離隔距離を変更することが可能であるが、クリップ部は、支柱の上下両端側の２つの軸で固定板部に対して回動可能とされていることから、先端側を固定板部に対して大きく離隔させるように、回動させ難く、第２マットの取付時、予め床面に固定させてある第１マットの後縁を、固定板部とクリップ部との間に挟む際に、固定板部とクリップ部との間の隙間に進入させがたく、取付作業を良好にする点に改善の余地があった。
【０００７】
また、上記特許文献１及び２に記載の固定クリップは、いずれも、クリップ部の押え板によって第２マットの後縁を挟む構成であることから、長期間の使用により挟持力が低下すれば、第２マットが使用時に前方への力を受けた際に、前方へのずれ移動を防止し難く、使用時に前方への力を受けた際にも、前方へのずれ移動を的確に抑制する点に、改善の余地があった。
【０００８】
本発明は、上述の課題を解決するものであり、簡便な構成で、使用時の第２マットのずれ移動を的確に防止でき、かつ、床面への取り付けも容易なマット用フックを提供することを目的とする。
【課題を解決するための手段】
【０００９】
本発明に係るマット用フックは、車両の車室内における床面に二重に敷かれる第１マット及び第２マットにおいて、上側に配置される第２マットを床面に対して固定するために、第１マット及び第２マットの後縁近傍に配置される合成樹脂製のマット用フックであって、
第１マットと床面との間に介在されるとともに、固定手段を用いて床面に固定される固定片部と、
固定片部の後端側から反転しつつ固定片部と略平行に前方に延びて、固定片部との間の隙間に、第１マットの後縁を挿入させるようにして、第１マットの上面側に配置される押え片部と、
押え片部側に配置されて、第２マットを係止するフック本体と、
を備える構成とされ、
フック本体が、
押え片部から上方に突出して、第２マットに形成される係止孔に挿通可能な係止軸部と、
係止軸部の上端から後方に向かって延びて、係止孔周縁に係止される係止片と、
を備える構成とされ、
固定片部と押え片部との境界部位付近に、押え片部の前端側を固定片部から上方へ離隔可能とするインテグラルヒンジからなるヒンジ部が、配置され、
フック本体が、押え片部と別体として構成されるとともに、押え片部に対して、前後方向側でスライド可能で、かつ、スライド移動後に、少なくとも前方側への移動を規制して前記押え片部に係止可能に、構成されていることを特徴とする。
【００１０】
本発明のマット用フックでは、床面への取付時に、第１マットを上下で挟むように配置される固定片部と押え片部とが、固定片部と押え片部との境界部位付近に配置されるヒンジ部により相互に連結されており、このヒンジ部は、インテグラルヒンジとして、押え片部の前端側を固定片部から離隔可能とするように、構成されている。すなわち、本発明のマット用フックでは、押え片部を、固定片部に対して、一点を中心として回動可能に構成していることから、押え片部を、固定片部から大きく離隔させるように回動させやすく、使用時において、押え片部と固定片部との間に第１マットの後縁を挟み込む際に、第１マットが別位置であって、かつ、マット用フックの配置位置近傍で、床面に固定されている状態であっても、容易に挟み込み可能であり、第１マットを固定させた状態の床面への取り付け作業が容易である。
【００１１】
また、本発明のマット用フックでは、押え片部側に配置されるフック本体の係止軸部を、第２マットに形成される係止孔に挿通させ、係止軸部の上端側に形成される係止片を、係止孔の周縁に係止させて、第２マットを係止する構成であることから、使用時において、係止孔からフック本体が抜け難く、第２マットが前方への力を受けた際にも、第２マットの前方へのずれ移動を的確に抑制することができる。
【００１２】
したがって、本発明のマット用フックでは、簡便な構成で、使用時の第２マットのずれ移動を的確に防止でき、かつ、床面への取り付けも容易である。
また、本発明のマット用フックでは、フック本体を、押え片部と別体として構成するとともに、押え片部に対して、前後方向側でスライド可能で、かつ、スライド移動後に、少なくとも前方側への移動を規制して押え片部に係止可能に、構成していることから、フック本体の位置を、市販の第２マットの係止孔の位置に合わせて微調整することができ、第２マットを、部分的に弛ませることなく、適切な位置で、第１マットの上に載置させることができる。
【００１３】
また、本発明のマット用フックにおいて、押え片部の後端と固定片部の後端とを、断面形状を略Ｕ字形状とした連結部により、連結させ、
ヒンジ部を、少なくとも、押え片部の後端側から連結部の後端にかけての領域を前後の略全域にわたって薄肉として構成するとともに、押え片部及び固定片部との境界にかけて、肉厚をそれぞれ徐変させるように、構成することが、好ましい。
【００１４】
上記構成のマット用フックでは、使用時において、ヒンジ部の部位に応力集中が生じ難く、耐久性を向上させることができると同時に、押え片部を固定片部から離隔させるような移動の可動域を大きく確保することができ、第１マットの後縁を挟み込む作業が一層容易となる。
【００１５】
さらに、上記構成のマット用フックにおいて、固定片部を、固定手段としてねじを使用可能に、ねじを挿通可能な挿通孔を備えるとともに、固定手段として、裏面側にフック側の面状ファスナーを結合させる構成とすれば、床面が、フック側の面状ファスナーを係止可能な材料から形成されている場合に、固定片部を床面に載せるだけで、固定片部を床面に固定させることができて、床面への取付作業性が一層良好となり、また、床面が面状ファスナーを係止不能な材料から形成されている場合には、挿通孔に挿通させたねじを締結させることにより、固定片部を床面に固定させることができることから、床面の材質に限らず、固定片部を床面に容易に固定させることができて、好ましい。
【図面の簡単な説明】
【００１７】
【図１】本発明の第１実施形態であるマット用フックの使用状態を示す概略平面図である。
【図２】第１実施形態のマット用フックの使用状態を示す概略断面図である。
【図３】第１実施形態のマット用フックの斜視図である。
【図４】図３のマット用フックの平面図である。
【図５】図３のマット用フックの正面図である。
【図６】図３のマット用フックの底面図である。
【図７】本発明の第２実施形態であるマット用フックの斜視図である。
【図８】図８のマット用フックの平面図である。
【図９】図８のマット用フックの正面図である。
【図１０】図８のマット用フックの使用状態を示す概略斜視図である。
【図１１】図８のマット用フックの使用状態を示す概略断面図である。
【図１２】図１１のXII−XII部位の断面図である。
【図１３】本発明の第３実施形態であるマット用フックの斜視図である。
【図１４】図１３のマット用フックの断面図である。
【図１５】図１３のマット用フックの使用状態を示す概略断面図である。
【図１６】本発明の第４実施形態であるマット用フックの斜視図である。
【図１７】図１６のマット用フックの断面図である。
【図１８】図１６のマット用フックの使用状態を示す概略断面図である。
【発明を実施するための形態】
【００１８】
以下、本発明の一実施形態を図面に基づいて説明する。まず、第１実施形態のマット用フック（以下、単に「フック」と省略する）９について説明すると、フック９は、図１，２に示すように、車両の車室内において、運転席Ｓの前方における床面Ｆ１に二重に敷かれる第１マット３及び第２マット６の後縁３ａ，６ａ近傍に配置される。なお、実施形態における前後・上下・左右の方向は、特に断らない限り、車両の前後・左右・上下の方向として、説明する。
【００１９】
第１実施形態のフック９を使用する車両の床面Ｆ１は、板金製のフロアパネルに遮音材等を介在させ、表面側に、ニードルパンチ不織布等からなる表皮層１Ａを配置させており、この表皮層１Ａに、フック９の固定片部１０を固定させる構成である。また、床面Ｆ１に直接載置される第１マット３は、図１に示すように、後縁３ａ近傍の一箇所に、床面Ｆ１から延びるように配置されるフック４を周縁で係止可能に、ハトメリングを周縁に配置させた係止孔３ｂを、備えており、この係止孔３ｂ周縁にフック４を係止させることによって、床面Ｆ１に対して固定されている。また、第１マット３は、実施形態の場合、詳細な図示を省略するが、ゴム製の裏地とタフトカーペットからなる表地とを積層させた厚肉の二層構造からなるものであり、第１マット３の端縁には、表地の起毛状態を潰すようにしてかがり縫いが施されている。また、第１実施形態のフック９を使用して床面Ｆ１側に固定される第２マット６は、タフトカーペットからなる表地とゴム製の裏地とを積層させた二層構造とされるもので、後縁６ａ近傍における左右の中央付近に、フック９における後述する係止片２２を周縁で係止可能に、ハトメリングを周縁に配置させた係止孔６ｂを、有している。この第２マット６に形成される係止孔６ｂは、第１マット３と第２マット６を上下で重ねた際に、第１マット３を係止するフック４近傍となる位置に、形成されている。
【００２０】
第１実施形態のフック９は、図３〜７に示すように、ポリプロピレン等の合成樹脂製とされるもので、固定片部１０と、押え片部１３と、固定片部１０と押え片部１３とを連結する連結部１７と、ヒンジ部１８と、押え片部１３側に配置されるフック本体２０と、を備えている。
【００２１】
固定片部１０は、実施形態の場合、長手方向を前後方向に略沿わせた略長方形板状とされるもので、前後の中央よりやや後方となる位置の左右両縁側を、部分的に突出させ、これらの突出した左右の取付座１０ａに、固定手段としてねじを用いる際にねじを挿通可能な挿通孔１０ｂ，１０ｂを、それぞれ、配置させている（図４参照）。また、固定片部１０の裏面側には、取付座１０ａの領域を除いた略全面にわたって、固定手段としてのフック側の面状ファスナー１１が貼着（結合）されている（図６参照）。面状ファスナー１１としては、多数のフックを表面に配置させたフック側（雄側）のものが使用されている。なお、第１実施形態では、車両の床面Ｆ１の表面側には、ニードルパンチ不織布からなる表皮層１Ａが配置されていることから、フック側の面状ファスナー１１を表皮層１Ａに係止させることができ、固定片部１０は、ねじを用いなくとも、床面Ｆ１に載せて、固定片部１０を上方から軽く押圧するだけで、床面Ｆ１に固定することができる。
【００２２】
固定片部１０と押え片部１３を連結する連結部１７は、固定片部１０の後端１０ｃから押え片部１３の後端１３ａにかけて、断面形状を略Ｕ字形状とするように、湾曲して形成されている。そして、押え片部１３は、固定片部１０と略平行に前後方向に延びるように、形成されている。すなわち、押え片部１３は、連結部１７を介して、固定片部１０の後端１０ｃ側から反転しつつ固定片部１０と略平行に、前方に延びるように、形成されている。詳細には、実施形態の場合、固定片部１０の後端１０ｃは、押え片部１３の後端１３ａよりも後方に位置するように、構成されており、連結部１７は、固定片部１０の後端１０ｃから前上方に向かって突出するように、略１／４円弧状に湾曲して、形成されている。また、連結部１７は、上方（押え片部１３側）にかけて左右方向の幅寸法を狭められるような略テーパ状として、形成されている。
【００２３】
押え片部１３は、連結部１７から連なるように、固定片部１０の前後の中央付近まで延びるもので、図５に詳細に示すように、前側を上方に位置させるように前後方向に対して僅かに傾斜して配置される後側部位１４と、後側部位１４の前側において前後方向に略沿うように配置される前側部位１５と、を備えている。後側部位１４は、平面形状を、前方にかけて左右方向の幅寸法を狭められるような略テーパ状として、構成されている。前側部位１５は、左右方向の幅寸法を略一定として、前縁側を半円弧状に湾曲させて構成されている。この押え片部１３は、固定片部１０との間の隙間に第１マット３の後縁３ａを挿入させるようにして、第１マット３の上面側に配置されるもので、前側部位１５と固定片部１０との間の隙間の開口幅寸法を、第１マット３の後縁３ａを支障なく挿入可能な寸法に、設定されている。
【００２４】
そして、固定片部１０と押え片部１３との境界部位付近には、押え片部１３の前端１３ｂ側を固定片部１０から上方へ離隔可能とするインテグラルヒンジからなるヒンジ部１８が、形成されている。詳細には、ヒンジ部１８は、連結部１７において、押え片部１３の後端１３ａ側から連結部１７の後端１７ａ側にかけての領域を、前後の略全域にわたって薄肉として、構成されるとともに、押え片部１３及び固定片部１０との境界にかけて、それぞれ、肉厚を徐変されるように、構成されている。さらに詳細には、ヒンジ部１８は、連結部１７の略全域となる略１／４円弧状の領域において、前後の中央付近となる後上側の領域の肉厚を最も薄くして、前後両側にかけて徐々に肉厚を厚くするように、形成されている。そして、このヒンジ部１８は、図５の二点鎖線に示すように、押え片部１３の前端１３ｂ側を固定片部１０から上方へ離隔させるように、押え片部１３を回動可能である。なお、押え片部１３は、固定片部１０（水平方向）に対して、少なくとも９０°の角度で開き可能である。また、第１マット３を、押え片部１３と固定片部１０との間の隙間に挿入させた状態では、第１マット３の後縁３ａは、連結部１７の前側に近接して配置されることとなる。
【００２５】
フック本体２０は、押え片部１３における前側部位１５の前後左右の中央付近に配置されるもので、押え片部１３の前側部位１５から上方に突出する係止軸部２１と、係止軸部２１の上端から後方に向かって延びる係止片２２と、を備えている。また、フック本体２０は、固定片部１０における前後の略中央の上方となる位置に、配置されている。係止軸部２１は、第２マット６に形成される係止孔６ｂに挿通可能とされるもので、実施形態の場合、前後方向側の幅寸法を大きくした略長円状の断面を有した棒状として、構成されている（図４参照）。係止軸部２１は、上端側を後方に位置させるように、上下方向に対してわずかに傾斜して、形成されている。係止片２２は、係止軸部２１の上端から水平面に略沿って膨出する略板状とされるとともに、後方に向かって大きく突出するように、形成されている。この係止片２２は、図４に示すように、上方から見た外形形状を、後方にかけて先細りとした略楕円形の板状とされている。また、係止片２２は、係止軸部２１の前後の中央よりやや後側となる位置から、後端にかけて、後端側を上方に向けるように水平方向に対して傾斜して構成されて、第２マット６に形成される係止孔６ｂ周縁への着脱時の作業性を良好としている。
【００２６】
そして、第１実施形態のフック９は、以下のようにして使用することができる。まず、第１マット３が敷かれた状態の床面Ｆ１において、第２マット６の係止孔６ｂに対応するような位置に、フック９の固定片部１０を固定させる。このとき、第１マット３は、フック４によって後縁３ａ側を床面Ｆ１に固定されており、フック９は、押え片部１３の前端１３ｂ側を固定片部１０に対して拡開させるようにして、押え片部１３と固定片部１０との間の隙間に、第１マット３の後縁３ａを挿入させる。そして、押え片部１３と固定片部１０との間に第１マット３の後縁３ａを挟んだ状態のフック９の固定片部１０を、床面Ｆ１に載置させる。このとき、固定片部１０を、床面Ｆ１に対して上方から軽く押圧すれば、固定片部１０の裏面側に貼着される固定手段としてのフック側の面状ファスナー１１が、床面Ｆ１の表皮層１Ａに対して係止されることとなって、固定片部１０が床面Ｆ１に固定されることとなる。その後、第２マット６を、第１マット３の上面側に載置させ、押え片部１３から上方に突出しているフック本体２０の係止軸部２１を、第２マット６の係止孔６ｂに挿通させるようにして、係止片２２を係止孔６ｂ周縁に係止させれば、フック９により、第２マット６を床面Ｆ１に対して固定させることができる。
【００２７】
この第１実施形態のフック９では、床面Ｆ１への取付時に、第１マット３を上下で挟むように配置される固定片部１０と押え片部１３とが、固定片部１０と押え片部１３との境界部位付近に配置されるヒンジ部１８により相互に連結されており、このヒンジ部１８は、インテグラルヒンジとして、押え片部１３の前端１３ｂ側を固定片部１０から離隔可能とするように、構成されている。すなわち、第１実施形態のフック９では、押え片部１３を、固定片部１０に対して、一点を中心として回動可能に構成していることから、押え片部１３を、固定片部１０から大きく離隔させるように回動させやすく、使用時において、押え片部１３と固定片部１０との間に第１マット３の後縁３ａを挟み込む際に、第１マット３が別位置であって、かつ、フック９の配置位置近傍に位置するフック４により、床面Ｆ１に固定されている状態であっても、容易に挟み込み可能であり、第１マット３を固定させた状態の床面Ｆ１への取り付け作業が容易である。
【００２８】
また、第１実施形態のフック９では、押え片部１３側に配置されるフック本体２０の係止軸部２１を、第２マット６に形成される係止孔６ｂに挿通させ、係止軸部２１の上端側に形成される係止片２２を、係止孔６ｂの周縁に係止させて、第２マット６を係止する構成であることから、使用時において、係止孔６ｂからフック本体２０が抜け難く、第２マット６が前方への力を受けた際にも、第２マット６の前方へのずれ移動を的確に抑制することができる。
【００２９】
したがって、第１実施形態のフック９では、簡便な構成で、使用時の第２マット６のずれ移動を的確に防止でき、かつ、床面Ｆ１への取り付けも容易である。
【００３０】
また、第１実施形態のフック９では、押え片部１３の後端１３ａと固定片部１０の後端１０ｃとが、断面形状を略Ｕ字形状とした連結部１７により、連結され、ヒンジ部１８が、少なくとも、押え片部１３の後端１３ａ側から連結部１７の後端１７ａにかけての領域を前後の略全域にわたって薄肉として構成されるとともに、押え片部１３及び固定片部１０との境界にかけて、肉厚をそれぞれ徐変させるように、構成されている。そのため、第１実施形態のフック９では、使用時において、ヒンジ部１８の部位に応力集中が生じ難く、耐久性を向上させることができると同時に、押え片部１３を固定片部１０から離隔させるような移動の可動域を大きく確保することができ、第１マット３の後縁３ａを挟み込む作業が一層容易となる。勿論、このような点を考慮しなければ、押え片部と固定板部との間の境界の領域を、部分的に、例えば断面略楔状や断面略台形状等に切り欠いて、ヒンジ部を形成してもよい。
【００３１】
さらに、第１実施形態のフック９では、固定片部１０が、固定手段としてねじを使用可能に、ねじを挿通可能な挿通孔１０ｂを備えるとともに、固定手段として、裏面側にフック側の面状ファスナー１１を結合させる構成とされている。そのため、実施形態のごとく、床面Ｆ１の表皮層１Ａが、フック側の面状ファスナー１１を係止可能な材料から形成されている場合に、固定片部１０を床面Ｆ１に載せるだけで、固定片部１０を床面Ｆ１に固定させることができて、床面Ｆ１への取付作業性が一層良好である。また、後述する床面Ｆ２のごとく、表皮層１Ｂが面状ファスナーを係止不能な材料から形成される床面Ｆ２に使用する場合には、実施形態のフック９は、挿通孔１０ｂに挿通させたねじを締結させることにより、固定片部１０を床面に固定させることができることから、床面の材質に限らず、固定片部を床面に容易に固定させることができる。
【００３２】
次に、第２実施形態のフック２５について、説明をする。第２実施形態のフック２５を使用する床面Ｆ２は、表面側に、図１１に示すように、タフトカーペットからなる表皮層１Ｂを配置させるとともに、表皮層１Ｂと図示しないフロアパネルとの間に、不織布層（図符号省略）を介在させて構成されている。第１マット３は、上述の第１マット３と同様の構成である。フック２５により床面Ｆ２に固定される第２マット２４は、図１０，１１に示すように、ポリ塩化ビニル（ＰＶＣ）からなるトレー状とされるもので、後縁２４ａ側における左右両端側に、フック２５の係止片２２Ａを周縁で係止可能な長穴状の係止孔２４ｂを、配置させている。すなわち、第２実施形態のフック２５は、第２マット２４を固定させるために２個使用されることとなる。
【００３３】
フック２５は、上述のフック９と同様に、ポリプロピレン等の合成樹脂製とされるもので、フック９と同様に、固定片部１０Ａと、押え片部１３Ａと、固定片部１０Ａと押え片部１３Ａとを連結する連結部１７Ａと、ヒンジ部１８Ａと、押え片部１３Ａ側に配置されるフック本体２０Ａと、を備えている（図７〜９参照）。フック２５は、外形形状を若干異ならせている以外は、上述のフック９と同様の構成であることから、同一の部材には、同一の図符号の末尾に「Ａ」を付して詳細な説明を省略する。なお、フック２５とフック９との差異を詳細に説明すると、フック２５では、図８，９に示すように、押え片部１３Ａの前後の長さ寸法が、フック９における押え片部１３の前後の長さ寸法より小さく、フック本体２０Ａが、固定片部１０Ａにおける前後の中央より後方となる挿通孔１０ｂの上方となる位置に配置されている。また、フック２５では、フック本体２０Ａは、押え片部１３Ａの前端側から連なるように、板状体を屈曲させるようにして、形成されている。すなわち、フック本体２０Ａは、左右の幅寸法を、押え片部１３Ａにおける前側部位１５Ａと略一致させて、構成されている。フック２５のフック本体２０Ａにおいても、図９に示すように、係止軸部２１Ａは、上端側を後方に向けるように上下方向に対して僅かに傾斜しており、係止片２２Ａは、後端側を上方に向けるように水平方向に対して傾斜して構成されている。
【００３４】
なお、この第２実施形態のフック２５を固定させる床面Ｆ２は、タフトカーペットからなる表皮層１Ｂを有していることから、フック側の面状ファスナー１１Ａを表皮層１Ｂに係止させることができず、面状ファスナー１１Ａを固定手段として使用することができない。第２実施形態では、フック２５の固定片部１０Ａは、固定手段として２本のねじ２７，２７を用い、各ねじ２７を、面状ファスナー１１Ａを貫通させつつ、挿通孔１０ｂを挿通させて、床面Ｆ２に締結させることにより、床面Ｆ２に固定されることとなる（図１２参照）。
【００３５】
この第２実施形態のフック２５においても、第１実施形態のフック９と同様の構成を有していることから、使用時に、第１実施形態のフック９と同等の作用効果を得ることができる。
【００３６】
また、第２実施形態のフック２５においても、固定片部１０Ａが、固定手段としてねじ２７を使用可能に、ねじ２７を挿通可能な挿通孔１０ｂを備えるとともに、固定手段として、裏面側に面状ファスナー１１Ａを結合させる構成とされている。そのため、実施形態のごとく、面状ファスナー１１Ａを係止不能な表皮層１Ｂを備える床面Ｆ２に使用する場合、挿通孔１０ｂに挿通させたねじ２７を床面Ｆ２に締結させることにより、固定片部１０Ａを床面Ｆ２に固定させればよく、また、床面が、上述の床面Ｆ１のごとく、面状ファスナー１１Ａを係止可能な材料から形成されている場合には、固定片部１０Ａを床面に載せるだけで、固定片部１０Ａを床面に固定させることができることから、床面の材質に限らず、固定片部を床面に容易に固定させることができる。
【００３７】
なお、実施形態では、第１実施形態のフック９は、１箇所のみに配置されているが、第２実施形態のごとく、左右の二箇所に配置される構成としてもよい。また、第１実施形態及び第２実施形態のフック９，２５のいずれも、左右方向に沿って三箇所配置させる構成としてもよい。
【００３８】
次に、第３実施形態のフック２９について説明をする。第３実施形態のフック２９は、図１３，１４に示すように、ポリプロピレン等の合成樹脂製とされるもので、固定側部材３０と、固定側部材３０と別体とされるフック本体部３４と、を備えて構成されるもので、固定側部材３０は、固定片部１０Ｂと、押え片部３１と、固定片部１０Ｂと押え片部３１とを連結する連結部１７Ｂと、ヒンジ部１８Ｂと、を備えている。固定片部１０Ｂ、連結部１７Ｂ、及び、ヒンジ部１８Ｂは、上述のフック９における固定片部１０，連結部１７，ヒンジ部１８と同様の構成であることから、同一の図符号の末尾に「Ｂ」を付して詳細な説明を省略する。なお、第３実施形態では、フック２９は、図１５に示すように、上述の第２マット２４を、床面Ｆ１に固定させるために、使用されている。
【００３９】
押え片部３１は、前後方向に略沿って延びる略帯状として、固定片部１０Ｂよりも前方まで延びるように、形成されている。押え片部３１の上面３１ａには、フック本体部３４のスライド移動時にも、フック本体部３４を係止可能とされる係止突起３２が、断面鋸刃状として、前後方向に沿って連続的に形成されている。この係止突起３２は、押え片部３１における左右の中央付近に配置されるもので、フック本体部３４に形成される係止爪３７に対応して、後方に配置されて略上下方向に沿った係止面３２ａと、係止面３２ａの前側に配置されて係止面３２ａの上端側からなだらかに下降するように傾斜する滑り面３２ｂと、を、交互に、連続して配置させた構成とされている。また、押え片部３１の前端３１ｂ側には、フック本体部３４の抜けを防止するようなストッパ３１ｃが、左右両側へ突出するように、形成されている。
【００４０】
フック本体部３４は、押え片部３１に取り付けられる取付部３５と、フック本体３９と、を備えている。取付部３５は、フック本体部３４を押え片部３１に対して前後方向側でスライド可能とするように、押え片部３１の周囲を略全周にわたって略隙間なく囲むような扁平な略四角筒形状とされるもので、押え片部３１の上面側を覆う部位において、押え片部３１に形成される係止突起３２に対応した位置に、後方へ延びる突出片部３６を、有している。突出片部３６は、取付部３５の後縁よりも後方に突出するように形成されるとともに、左右両縁側を、取付部３５から分離されて構成されている。そして、突出片部３６の前端側には、係止突起３２に係止可能な係止爪３７が、下方に向かって突出するように形成されている。この係止爪３７は、前側に、係止突起３２の係止面３２ａに係止可能な係止面３７ａを、配設させ、後側に、係止面３７ａの下端側から前上側に向かって傾斜する滑り面３７ｂを、有する構成とされている。
【００４１】
フック本体３９は、取付部３５における上面側の領域の前縁側から連なるように、板状体を屈曲させるようにして、形成されるもので、取付部３５の前縁側から上方に突出する係止軸部４０と、係止軸部４０の上端から後方に向かって延びる係止片４１と、を備えている。
【００４２】
そして、この第３実施形態のフック２９では、フック本体３９を強く前後に引っ張るようにすれば、図１４の二点鎖線に示すように、突出片部３６が撓んで、係止爪３７と係止突起３２との係止状態を、解除することができ、フック本体部３４を押え片部３１に対して前後方向にスライド移動させることができる。そして、フック本体部３４のスライド移動を停止させれば、前後方向に沿って連続的に形成される係止突起３２に、再度、係止爪３７が係止されて、フック本体部３４が、前方側への移動を規制されて押え片部３１に係止されることとなる。
【００４３】
この第３実施形態のフック２９においても、第１実施形態のフック９と同様の構成を有していることから、使用時に、第１実施形態のフック９と同等の作用効果を得ることができる。
【００４４】
また、第３実施形態のフック２９では、フック本体３９（フック本体部３４）を、押え片部３１と別体として構成するとともに、押え片部３１に対して、前後方向側でスライド可能で、かつ、スライド移動後に、少なくとも前方側への移動を規制して押え片部３１に係止可能に、構成していることから、フック本体３９（フック本体部３４）の位置を、市販の第２マット２４の係止孔の位置に合わせて微調整することができ、第２マット２４を、部分的に弛ませることなく、適切な位置で、第１マット３の上に載置させることができる。
【００４５】
また、フック本体３９Ｃ（フック本体部５０）を押え片部と別体として構成するフック４４として、図１６，１７に示す第４実施形態のフック４４のごとく、構成してもよい。
【００４６】
第４実施形態のフック４４は、ポリプロピレン等の合成樹脂製とされるもので、図１６，１７に示すように、それぞれ別体とされる固定側部材４５と、押え片部４８と、フック本体部５０と、を備えている。固定側部材４５は、固定片部１０Ｃと、固定片部１０Ｃに押え片部を連結させる連結フック４６と、固定片部１０Ｃと連結フック４６とを連結する連結部１７Ｃと、ヒンジ部１８Ｃと、を備えている。固定片部１０Ｃ、連結部１７Ｃ、及び、ヒンジ部１８Ｃは、上述のフック９における固定片部１０，連結部１７，ヒンジ部１８と同様の構成であることから、同一の図符号の末尾に「Ｃ」を付して詳細な説明を省略する。なお、実施形態では、固定側部材４５として、前述の第２実施形態のフック２５が、使用されている。連結フック４６は、連結部１７Ｃ近傍において、上方に立ち上がりつつ、先端を後方に向けるように反転させて、構成されている。なお、第４実施形態においても、フック４４は、図１８に示すように、上述の第２マット２４を、床面Ｆ１に固定させるために、使用されている。
【００４７】
押え片部４８は、前後方向に沿った長尺の帯状とされるもので、後端側に、固定側部材の４５の連結フック４６に係止される係止孔４８ａを備えており、この係止孔４８ａ周縁に連結フック４６を係止させることにより、固定側部材４５と連結される構成である。実施形態の場合、押え片部４８は、固定側部材４５と連結された状態で、固定片部１０Ｃよりも前方まで延びるように、形成されている。また、押え片部４８には、フック本体部５０に形成される後述する嵌合突起５２ａを嵌合可能に、略円形に開口した嵌合穴４８ｃが、前後方向に沿って断続的に形成されている。
【００４８】
フック本体部５０は、押え片部４８に取り付けられる取付部５１と、フック本体３９Ｃと、を備えている。取付部５１は、フック本体部５０を押え片部４８に対して前後方向側でスライド可能とするように、押え片部４８の周囲を略全周にわたって囲むような扁平な略四角筒形状とされている。取付部５１は、押え片部４８の上面側を覆う領域に、フック本体３９Ｃより前方に突出するように形成される突出片５２を、有している。この突出片５２の下面側には、押え片部４８に形成される嵌合穴４８ｃに嵌合可能に、略円柱状に下方に突出する嵌合突起５２ａが、形成されている。この嵌合突起５２ａの嵌合穴４８ｃへの嵌合状態は、突出片５２を上方移動させれば、解除させることができる。また、取付部５１において、押え片部４８の下方を覆う下壁部５１ａは、前方にかけて下降するように、前後方向に対して傾斜して、形成されている（図１７参照）。この下壁部５１ａは、フック本体部５０のスライド移動時のガイドとなるもので、下壁部５１ａを押え片部４８に当接させるまで、突出片５２を持ち上げるようにフック本体部５０を傾ければ、嵌合突起５２ａの嵌合穴４８ｃへの嵌合状態を解除することができる。
【００４９】
フック本体３９Ｃは、取付部５１における上面側の領域であって、突出片５２の後側から上方に突出するように形成されるもので、前述のフック２９におけるフック本体３９と同様に、取付部５１から上方に突出する係止軸部４０Ｃと、係止軸部４０Ｃの上端から後方に向かって延びる係止片４１Ｃと、を備えている。
【００５０】
そして、この第４実施形態のフック４４では、図１７の二点鎖線に示すごとく、突出片５２を持ち上げるように、フック本体部５０を傾ければ、嵌合突起５２ａの嵌合穴４８ｃへの嵌合状態を解除することができて、下壁部５１ａを押え片部４８に対して摺接させるようにして、フック本体部５０を押え片部４８に対して前後方向にスライド移動させることができる。そして、フック本体部５０のスライド移動を停止させ、嵌合穴４８ｃに嵌合突起５２ａを挿入させるようにして、突出片５２を下方へ押し下げれば、嵌合突起５２ａが、再度嵌合穴４８ｃに嵌合されて、フック本体部５０が、前方側への移動を規制されて押え片部４８に係止されることとなる。
【００５１】
この第４実施形態のフック４４においても、第１実施形態のフック９と同様の構成を有していることから、使用時に、第１実施形態のフック９と同等の作用効果を得ることができる。
【００５２】
また、第４実施形態のフック４４においても、フック本体３９Ｃ（フック本体部５０）を、押え片部４８と別体として構成するとともに、押え片部４８に対して、前後方向側でスライド可能で、かつ、スライド移動後に、少なくとも前方側への移動を規制して押え片部４８に係止可能に、構成していることから、フック本体３９Ｃ（フック本体部５０）の位置を、市販の第２マット２４の係止孔の位置に合わせて微調整することができ、第２マット２４を、部分的に弛ませることなく、適切な位置で、第１マット３の上に載置させることができる。
【符号の説明】
【００５３】
３…第１マット、３ａ…後縁、６，２４…第２マット、６ａ，２４ａ…後縁、９，２５，２９，４４…フック（マット用フック）、１０，１０Ａ，１０Ｂ，１０Ｃ…固定片部、１１，１１Ａ，１１Ｂ，１１Ｃ…面状ファスナー（固定手段）、１３，１３Ａ，３１，４８…押え片部、１７，１７Ａ，１７Ｂ，１７Ｃ…連結部、１８，１８Ａ，１８Ｂ，１８Ｃ…ヒンジ部、２０，２０Ａ，３９，３９Ｃ…フック本体、２１，２１Ａ，４０，４０Ｃ…係止軸部、２２，２２Ａ，４１，４１Ｃ…係止片、Ｆ１，Ｆ２…床面。
【図１】
0005762823.tif 000002
【図２】
0005762823.tif 000003
【図３】
0005762823.tif 000004
【図４】
0005762823.tif 000005
【図５】
0005762823.tif 000006
【図６】
0005762823.tif 000007
【図７】
0005762823.tif 000008
【図８】
0005762823.tif 000009
【図９】
0005762823.tif 000010
【図１０】
0005762823.tif 000011
【図１１】
0005762823.tif 000012
【図１２】
0005762823.tif 000013
【図１３】
0005762823.tif 000014
【図１４】
0005762823.tif 000015
【図１５】
0005762823.tif 000016
【図１６】
0005762823.tif 000017
【図１７】
0005762823.tif 000018
【図１８】
0005762823.tif 000019